【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、
飛び越し走査に対応した動き予測方式（フィールド動き予測モード）により動き予測がされた参照画像データのマクロブロックに対して動き補償をする第１の動き補償手段と、
順次走査に対応した動き予測方式（フレーム動き予測モード）により動き予測がされた参照画像データのマクロブロックに対して動き補償をする第２の動き補償手段とを備え、
上記第１の動き補償手段及び上記第２の動き補償手段は、上記記憶手段が記憶している参照画像データのマクロブロックの各画素に対して補間をし、上記記憶手段が記憶している参照画像データに対して１／４画素精度の画素から構成されるマクロブロックを生成し、この生成したマクロブロックに対して動き補償をすることを特徴とする画像復号装置。
【請求項２】
上記第１の動き補償手段及び上記第２の動き補償手段は、上記参照画像データのマクロブロックの水平方向又は垂直方向の各画素に対してＮ倍補間をし、Ｎ倍補間をした各画素に対して線形補間をすることによって、上記参照画像データに対して水平方向又は垂直方向が１／４画素精度の画素から構成されるマクロブロックを生成することを特徴とする請求項１に記載の画像復号装置。
【請求項３】
上記第１の動き補償手段及び第２の動き補償手段は、上記参照画像データのマクロブロックの垂直方向の各画素に対して、１つのフィールド内で２倍補間をし、１つのフィールド内で２倍補間をした各画素に対して線形補間をすることによって、上記参照画像データに対して垂直方向が１／４画素精度の画素から構成されるマクロブロックを生成することを特徴とする請求項１に記載の画像復号装置。
【請求項４】
上記第１の動き補償手段及び第２の動き補償手段は、ハーフバンドフィルタを用いて上記記憶手段が記憶している参照画像データのマクロブロックの各画素に対して補間をし、上記記憶手段が記憶している参照画像データに対して１／４画素精度の画素から構成されるマクロブロックを生成することを特徴とする請求項１に記載の画像復号装置。
【請求項５】
上記第１の動き補償手段及び第２の動き補償手段は、上記記憶手段が記憶している参照画像データのマクロブロックの各画素に対して補間をするためのフィルタのタップ数を、所定単位毎に切り換えて、上記記憶手段が記憶している参照画像データに対して１／４画素精度の画素から構成されるマクロブロックを生成することを特徴とする請求項１に記載の画像復号装置。
【請求項６】
所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、
飛び越し走査に対応した動き予測方式（フィールド動き予測モード）により動き予測がされた参照画像データのマクロブロックに対して動き補償をし、
順次走査に対応した動き予測方式（フレーム動き予測モード）により動き予測がされた参照画像データのマクロブロックに対して動き補償をし、
フィールド動き予測モード又はフレーム予測モードにより動き予測がされた参照画像データのマクロブロックの各画素に対して補間をし、記憶している参照画像データに対して１／４画素精度の画素から構成されるマクロブロックを生成し、この生成したマクロブロックに対して動き補償をすることを特徴とする画像復号方法。
【請求項７】
フィールド動き予測モード又はフレーム予測モードにより動き予測がされた参照画像データのマクロブロックの水平方向又は垂直方向の各画素に対してＮ倍補間をし、Ｎ倍補間をした各画素に対して線形補間をすることによって、参照画像データに対して水平方向が１／４画素精度の画素から構成されるマクロブロックを生成することを特徴とする請求項６に記載の画像復号方法。
【請求項８】
フィールド動き予測モード又はフレーム予測モードにより動き予測がされた参照画像データのマクロブロックの垂直方向の各画素に対して、１つのフィールド内で２倍補間をし、１つのフィールド内で２倍補間をした各画素に対して線形補間をすることによって、参照画像データに対して垂直方向が１／４画素精度の画素から構成されるマクロブロックを生成することを特徴とする請求項６に記載の画像復号方法。
【請求項９】
ハーフバンドフィルタを用いて、フィールド動き予測モード又はフレーム予測モードにより動き予測がされた参照画像データのマクロブロックの各画素に対して補間をし、記憶している参照画像データに対して１／４画素精度の画素から構成されるマクロブロックを生成することを特徴とする請求項６に記載の画像復号方法。
【請求項１０】
フィールド動き予測モード又はフレーム動き予測モードにより動き予測がされた参照画像データのマクロブロックの各画素に対して補間をするためのフィルタのタップ数を、所定単位毎に切り換えて、記憶している参照画像データに対して１／４画素精度の画素から構成されるマクロブロックを生成することを特徴とする請求項６に記載の画像復号方法。
【手続補正２】
【補正対象書類名】明細書
【補正対象項目名】００２９
【補正方法】変更
【補正の内容】
【００２９】
【課題を解決するための手段】
本発明に係る画像復号装置は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号装置において、飛び越し走査に対応した動き予測方式（フィールド動き予測モード）により動き予測がされた参照画像データのマクロブロックに対して動き補償をする第１の動き補償手段と、順次走査に対応した動き予測方式（フレーム動き予測モード）により動き予測がされた参照画像データのマクロブロックに対して動き補償をする第２の動き補償手段とを備え、上記第１の動き補償手段及び上記第２の動き補償手段は、上記記憶手段が記憶している参照画像データのマクロブロックの各画素に対して補間をし、上記記憶手段が記憶している参照画像データに対して１／４画素精度の画素から構成されるマクロブロックを生成し、この生成したマクロブロックに対して動き補償をすることを特徴とする。
【手続補正３】
【補正対象書類名】明細書
【補正対象項目名】００３３
【補正方法】変更
【補正の内容】
【００３３】
本発明に係る画像復号方法は、所定の画素ブロック（マクロブロック）単位で動き予測をすることによる予測符号化、及び、所定の画素ブロック（直交変換ブロック）単位で直交変換をすることによる圧縮符号化をした第１の解像度の圧縮画像データから、上記第１の解像度より低い第２の解像度の動画像データを復号する画像復号方法において、飛び越し走査に対応した動き予測方式（フィールド動き予測モード）により動き予測がされた参照画像データのマクロブロックに対して動き補償をし、順次走査に対応した動き予測方式（フレーム動き予測モード）により動き予測がされた参照画像データのマクロブロックに対して動き補償をし、フィールド動き予測モード又はフレーム予測モードにより動き予測がされた参照画像データのマクロブロックの各画素に対して補間をし、記憶している参照画像データに対して１／４画素精度の画素から構成されるマクロブロックを生成し、この生成したマクロブロックに対して動き補償をすることを特徴とする。